(57)【特許請求の範囲】
【請求項１】
検体容器を保持した検体ラックを搬送する搬送機構が設けられた搬送装置筐体と、
前記搬送機構により搬送された前記検体ラックに保持された前記検体容器の検体を測定する測定装置本体と、を備え、
前記搬送装置筐体内に、
光源部を着脱可能に保持する光源保持部が設けられており、
前記搬送装置筐体は、前記測定装置本体に隣接して配置されており、
前記測定装置本体が、
前記光源保持部に保持された前記光源部から照射された光を、前記検体を含む分析用試料を介して検出する検出部を備える、検体分析装置。
【請求項２】
前記搬送機構は、前記検体ラックがセットされるラック供給部と、前記ラック供給部にセットされた前記検体ラックを搬送するラック搬送部と、前記ラック搬送部により搬送された前記検体ラックを貯留するラック貯留部と、を備え、
前記光源保持部は、前記ラック供給部または前記ラック貯留部に隣接して配置される、請求項１に記載の検体分析装置。
【請求項３】
前記搬送装置筐体は、前記光源部を出し入れするための上方に開口する開口部を有する、請求項２に記載の検体分析装置。
【請求項４】
前記測定装置本体は、前記搬送装置筐体が隣接している側の前面と、前記前面に略直交する側面とを備え、
前記開口部は、側面視で、前記ラック搬送部と重なるように形成されている、請求項３に記載の検体分析装置。
【請求項５】
前記ラック搬送部は、前記検体容器を設置する設置面を含み、
前記開口部の上縁部は、前記設置面と略同じ高さ位置に配置されている、請求項３又は４に記載の検体分析装置。
【請求項６】
前記測定装置本体は、前記搬送装置筐体が隣接している側の前面と、前記前面に略直交する第１側面および第２側面とを備え、
前記前面の前記第１側面側に配置された操作パネルをさらに備え、
前記ラック供給部は、前記第１側面側に配置され、
前記開口部は、前記ラック供給部の前記第１側面側に隣接するように配置されている、請求項３〜５のいずれか１項に記載の検体分析装置。
【請求項７】
前記光源保持部は、前記開口部を介して、上方に向かって前記光源部を取り外し可能に構成されている、請求項３〜６のいずれか１項に記載の検体分析装置。
【請求項８】
前記開口部は、平面視において、前記光源保持部と重なるように形成されている、請求項３〜７のいずれか１項に記載の検体分析装置。
【請求項９】
前記開口部は、平面視において、前記光源部の面積よりも大きい面積を有する、請求項８に記載の検体分析装置。
【請求項１０】
前記測定装置本体は、前記搬送装置筐体が隣接している側と反対側の奥側に形成され、前記測定装置本体の内部から外部に空気を排気するための排気口と、前記排気口に接続され、前記光源部から放出された熱を前記排気口に導くための導風路とを備えている、請求項１〜９のいずれか１項に記載の検体分析装置。
【請求項１１】
前記光源部と前記検出部とを接続する光ファイバをさらに備える、請求項１〜１０のいずれか１項に記載の検体分析装置。
【請求項１２】
前記測定装置本体は、前記搬送装置筐体が隣接している側に孔を含む前面を備え、
前記搬送装置筐体は、前記光ファイバと前記光源保持部とが前記孔を介して接続された状態で、前記測定装置本体に取り付けられている、請求項１１に記載の検体分析装置。
【請求項１３】
前記搬送装置筐体は、前記光源部を出し入れするための上方に開口する開口部を有し、
前記分析用試料は、前記検体と試薬とを混和することにより調製され、
前記試薬は、試薬容器に収容されており、
前記開口部は、上方がカバーにより覆われることが可能に形成され、
前記カバーの上面は、前記試薬容器の蓋を設置するための蓋設置部を設置可能なように構成されている、請求項３〜１２のいずれか１項に記載の検体分析装置。
【請求項１４】
前記光源部は、ハロゲンランプを含む、請求項１〜１３のいずれか１項に記載の検体分析装置。
【請求項１５】
操作パネルが配置され、検体を測定する測定装置本体と、
光源部を着脱可能に保持する光源保持部が内部に設けられ、前記操作パネルが配置されている側に前記測定装置本体に隣接して設置される筐体と、を備え、
前記測定装置本体が、
前記光源保持部に保持された前記光源部から照射された光を、前記検体を含む分析用試料を介して検出する検出部を備える、検体分析装置。
【請求項１６】
前記筐体は、前記光源部を出し入れするための上方に開口する開口部を有する、請求項１５に記載の検体分析装置。
【発明の詳細な説明】
【技術分野】
【０００１】
この発明は、検体分析装置に関する。
【背景技術】
【０００２】
光源部を備える検体分析装置がある（たとえば、特許文献１参照）。
【０００３】
上記特許文献１には、検体容器を収容するラックを搬送する搬送機構部と、搬送機構部から供給された検体に対して光学的な測定を行う検出機構部本体と、を備える検体分析装置が開示されている。搬送機構部は、検出機構部本体の前面側に設けられている。検出機構部本体は、筐体を備える。筐体の中には、光源部と、光源部を着脱可能に保持する光源保持部と、光源部から照射された光を、検体を含む分析用試料を介して検出する検出部とがある。筺体は、側方に開口する開口部を含んでいる。光源部は、開口部を介してユーザにより交換される。
【先行技術文献】
【特許文献】
【０００４】
【特許文献１】特開２０１０−２６６２３６号公報
【発明の概要】
【発明が解決しようとする課題】
【０００５】
特許文献１では、ユーザは、検出機構部本体の内部に光源部が設けられているため、光源部の交換作業がしにくいため改善することが望まれている。
【０００６】
この発明の目的は、光源部の交換作業を容易に行うことができる検体分析装置を提供することである。
【課題を解決するための手段】
【０００７】
この発明の第1の局面による検体分析装置は、検体容器を保持した検体ラックを搬送する搬送機構が設けられた搬送装置筐体と、搬送機構により搬送された検体ラックに保持された検体容器の検体を測定する測定装置本体と、を備える。搬送装置筐体内に、光源部を着脱可能に保持する光源保持部が設けられており、搬送装置筐体は、測定装置本体に隣接して配置されており、測定装置本体が、光源保持部に保持された光源部から照射された光を、検体を含む分析用試料を介して検出する検出部を備える。
【０００８】
この発明の第２の局面による検体分析装置は、操作パネルが配置され、検体を測定する測定装置本体と、光源部を着脱可能に保持する光源保持部が内部に設けられ、操作パネルが配置されている側に測定装置本体に隣接して設置される筐体と、を備え、測定装置本体が、光源保持部に保持された光源部から照射された光を、検体を含む分析用試料を介して検出する検出部を備える。
【発明の効果】
【０００９】
本発明によれば、光源部の交換作業を容易に行うことができる。
【図面の簡単な説明】
【００１０】
【図１】一実施形態による検体分析装置を示した模式図である。
【図２】一実施形態による検体分析装置の搬送装置と測定装置本体とを接続する状態を示した図である。
【図３】一実施形態による検体分析装置を示した斜視図である。
【図４】一実施形態による検体分析装置の内部を示した平面図である。
【図５】一実施形態による検体分析装置の光源部および光源保持部を示した斜視図である。
【発明を実施するための形態】
【００１１】
以下、図１〜図５を参照して、一実施形態による検体分析装置１０の構成について説明する。
【００１２】
図１に示す検体分析装置１０は、検体と試薬とを混和して調製された分析用試料（以下、試料という）に対して光学的な測定を行うための装置である。検体分析装置１０は、測定により取得した光学的情報に基づき、検体の成分について分析を行う。
【００１３】
検体分析装置１０は、搬送装置１０ａと、測定装置本体１０ｂとにより構成されている。検体分析装置１０は、搬送装置１０ａをＹ２側に備え、測定装置本体１０ｂをＹ１側に備えている。搬送装置１０ａは、検体容器５００を保持した検体ラック５００Ｒを搬送する。測定装置本体１０ｂは、搬送装置１０ａにより搬送された検体ラック５００Ｒに保持された検体容器５００の検体を測定する。なお、本明細書において、「手前側」とは、設置状態における検体分析装置１０の前側（Ｙ２側）を示す。「奥側」とは、設置状態における検体分析装置１０の手前側と反対側（Ｙ１側）を示す概念である。
【００１４】
まず、搬送装置１０ａおよび測定装置本体１０ｂの接続状態について説明する。その後、搬送装置１０ａおよび測定装置本体１０ｂの詳細について説明する。
【００１５】
図２に示すように、搬送装置１０ａは、搬送装置筺体１００ａを備えている。搬送装置筺体１００ａは、搬送装置１０ａのケース部材である。搬送装置筺体１００ａは、一対の係合部１０１ａを備えている。係合部１０１ａは、搬送装置筺体１００ａのＹ１側端部にある。係合部１０１ａは、搬送装置筺体１００ａのＸ方向の両端部にある。
【００１６】
測定装置本体１０ｂは、前面１０１ｂと、第１側面１０２ｂと、第２側面１０３ｂと、奥面１０４ｂとを備えている。測定装置本体１０ｂは、測定装置筺体１００ｂを備えている。測定装置筺体１００ｂは、測定装置本体１０ｂのケース部材である。前面１０１ｂと、第１側面１０２ｂと、第２側面１０３ｂと、奥面１０４ｂとは、それぞれ、測定装置筺体１００ｂの周囲を囲む垂直方向に延びる面である。
【００１７】
前面１０１ｂには、搬送装置１０ａが隣接している。前面１０１ｂは、測定装置筺体１００ｂのＹ２側における面である。前面１０１ｂは、測定装置筺体１００ｂの下部にある。前面１０１ｂは、Ｘ方向と略平行である。前面１０１ｂは、平坦面状に形成されている。前面１０１ｂには、一対の係合部１０５ｂがある。係合部１０５ｂは、測定装置本体１０ｂのＹ２側端部にある。係合部１０５ｂは、測定装置本体１０ｂのＸ方向における両端部にある。搬送装置１０ａは、係合部１０１ａを後述する測定装置本体１０ｂの係合部１０５ｂに係合させることにより、測定装置本体１０ｂに取り付けられている。
【００１８】
前面１０１ｂには、好ましくは、搬送装置１０ａが隣接している側（Ｙ２側）に孔１０６ｂを備える。孔１０６ｂは、貫通孔である。
【００１９】
第１側面１０２ｂは、測定装置筺体１００ｂのＸ１側における側面である。第１側面１０２ｂは、前面１０１ｂに交差する。第１側面１０２ｂには、キュベット供給口１０７ｂがある。第１側面１０２ｂには、キュベット取出口１０８ｂがある。
【００２０】
第２側面１０３ｂは、測定装置筺体１００ｂのＸ２側における側面である。第２側面１０３ｂは、前面１０１ｂに交差する。第１側面１０２ｂおよび第２側面１０３ｂは、それぞれ、前面１０１ｂに直交している。
【００２１】
奥面１０４ｂは、測定装置筺体１００ｂのＹ１側における面である。奥面１０４ｂは、Ｘ方向と略平行である。
【００２２】
搬送装置１０ａおよび測定装置本体１０ｂの詳細について説明する。
【００２３】
図３に示すように、搬送装置１０ａは、搬送機構２１と、開口部２２と、光源部２３と、光源保持部２４と、凸部２５と、複数のカバー２６および２７とを備えている。搬送装置１０ａは、複数の吸気口２８と、導風路２９（図４参照）と、ファン３０（図４参照）とを備えている。図４に示すように、測定装置本体１０ｂは、キュベット供給部３１と、検体分注部３２と、検体プレート設置部３３と、容器セット部３４〜３６と、蓋設置部３７ａ〜３７ｃとを備えている。また、測定装置本体１０ｂは、試薬分注部３８と、キュベット移送部３９と、光ファイバ４０とを備えている。測定装置本体１０ｂは、検出部４１と、分析部４２と、操作パネル４３と、排気口４４と、導風路４５とを備えている。
【００２４】
図３に戻って、搬送機構２１は、搬送装置１０ａの上面に設けられている。搬送機構２１は、ラック搬送部２１１と、ラック供給部２１２と、ラック貯留部２１３とを備えている。搬送機構２１は、検体ラック５００Ｒを搬送する機能を有する。
【００２５】
ラック搬送部２１１は、Ｘ方向に延びる。ラック搬送部２１１は、検体容器５００を設置する設置面２１１ａを含んでいる。設置面２１１ａには、検体容器５００を収容する検体ラック５００Ｒを設置できる。ラック搬送部２１１は、ラック供給部２１２にセットされた検体ラック５００Ｒを搬送できる。ラック搬送部２１１は、ラック供給部２１２と、Ｘ２方向側のラック貯留部２１３とを接続している。
【００２６】
ラック供給部２１２は、好ましくは、第１側面１０２ｂ側（Ｘ１側）に配置されている。ラック供給部２１２には、検体容器５００を収容する検体ラック５００Ｒがセットされる。ラック供給部２１２は、検体ラック５００Ｒを順次、ラック搬送部２１１にセットできる。ラック搬送部２１１は、ラック供給部２１２からセットされた検体ラック５００Ｒを検体吸引位置Ｐ１に搬送できる。
【００２７】
ラック貯留部２１３は、検体吸引済みの検体容器５００を収容した検体ラック５００Ｒをラック搬送部２１１から受け入れて貯留できる。
【００２８】
開口部２２は、好ましくは、上方（Ｚ１側）に開口するように搬送装置１０ａに設けられている。すなわち、開口部２２は、上方に開口するように搬送装置筺体１００ａに設けられている。開口部２２は、光源部２３を上方に露出させる。開口部２２は、光源部２３を出し入れするために設けられている。これにより、光源部２３および光源保持部２４の上方が、搬送装置１０ａによって覆われるのを防止できる。その結果、上方からの外光を光源部２３および光源保持部２４に容易に届けることができる。したがって、ユーザは、光源部２３を交換する際に、光源部２３および光源保持部２４を容易に視認できるので、光源部２３の交換作業が煩雑になるのを抑制できる。なお、開口部２２は、搬送装置１０ａおよび測定装置本体１０ｂ以外の筺体に設けられていてもよい。
【００２９】
開口部２２の形状は、平面視において、矩形形状（図４参照）である。また、開口部２２は、好ましくは、ラック供給部２１２の第１側面１０２ｂ側（Ｘ１側）に隣接するように配置されている。これにより、ユーザが、光源部２３の交換作業およびラック供給部２１２への検体ラック５００Ｒのセット作業を装置のＸ１側で一括して行うことができる。なお、開口部２２が、搬送機構２１のＸ２側にあってもよい。
【００３０】
また、開口部２２は、測定装置本体１０ｂの検出部４１（図４参照）よりもＹ２側に設けられている。これにより、検体分析装置１０の奥まった部分に開口部２２が設けられている場合と異なり、手前側（Ｙ２側）の開口部２２を介して、容易に、光源部２３を出し入れできる。また、開口部２２を、検体分析装置１０の奥まった部分ではなく手前側（Ｙ２側）に設けることができる。これにより、上方からの外光が検体分析装置１０の搬送装置１０ａにより遮られるのを抑制することができる。その結果、上方からの外光を光源部２３および光源保持部２４にさらに容易に届けることができる。
【００３１】
開口部２２は、好ましくは、上縁部２２ａが設置面２１１ａと略同じ高さ位置に設けられている。具体的には、上縁部２２ａは、搬送機構２１の設置面２１１ａと略同じ高さ位置にある。これにより、開口部２２の上縁部２２ａが、設置面２１１ａよりも低い位置に設けられている場合と異なり、検体分析作業中に設置面２１１ａ上に液体などがこぼれた場合でも、こぼれた液体が、光源部２３に到達するのを抑制できる。
【００３２】
開口部２２は、好ましくは、平面視において、光源保持部２４と重なるように形成されている。これにより、光源保持部２４から光源部２３を容易に出し入れすることができる。
【００３３】
開口部２２は、好ましくは、平面視において、光源部２３の面積よりも大きい面積を有する。また、開口部２２は、平面視において、後述するハウジング２３２の面積よりも大きい面積を有する。これにより、光源保持部２４から光源部２３を出し入れする際に、ハウジング２３２と開口部２２とが干渉するのを抑制することができる。
【００３４】
図４に示すように、開口部２２は、好ましくは、Ｘ方向から見て、ラック搬送部２１１と重なっている。つまり、開口部２２のＹ方向の位置が、ラック搬送部２１１のＹ方向の位置と重なっている。これにより、開口部２２が、Ｘ方向から見て、ラック搬送部２１１と重なっていない場合と異なり、前後方向（Ｙ方向）における、開口部２２のラック搬送部２１１からのはみ出し量を小さくできる。その結果、検体分析装置１０の外形をコンパクトにできる。
【００３５】
図５に示すように、光源部２３は、光源２３１と、光源２３１を覆うハウジング２３２とを備えている。これにより、ハウジング２３２により光源２３１の上方を保護できる。なお、光源部２３が、ハウジング２３２を備えなくてもよい。
【００３６】
光源部２３は、開口部２２（図３参照）の下方に収容されている。光源部２３は、開口部２２を介して、搬送装置１０ａ（図３参照）に対して出し入れできる。光源部２３は、光源保持部２４に対して着脱できるように保持されている。
【００３７】
図４に戻って、搬送装置１０ａは、好ましくは、測定装置本体１０ｂに隣接して配置されている。具体的には、搬送装置１０ａは、測定装置本体１０ｂのＹ２側に設置されている。これにより、光源部２３を検出部４１の近くに配置できる。光源部２３から照射された光を検出部４１に供給する際に、光が途中で損失するのを抑制できる。また、搬送装置筺体１００ａは、光源部２３を着脱可能に保持する光源保持部２４を有し、操作パネル４３が配置されている側（手前側）に測定装置本体１０ｂに隣接して設置されている。なお、搬送装置筺体１００ａとは異なる筐体を測定装置本体１０ｂに隣接して配置してもよい。
【００３８】
図５に戻って、光源２３１は、好ましくは、ハロゲンランプ２３１ａなどの発光装置を備えている。これにより、光源２３１をコンパクトに構成できる。なお、光源２３１は、たとえばレーザ光源など、ハロゲンランプ２３１ａ以外の光源を備えてもよい。
【００３９】
光源２３１の配線２３１ｂは、図示しないコネクタに接続している。
【００４０】
ハウジング２３２は、アルミニウム（Ａｌｕｍｉｎｉｕｍ）などの金属により構成されている。ハウジング２３２は、上方から覆った状態で光源２３１を収容している。
【００４１】
ハウジング２３２は、光源保持部２４に保持された状態で、最上部の高さ位置が開口部２２の上縁部２２ａの高さ位置よりも低くなる（図３参照）。
【００４２】
光源保持部２４は、光源保持領域２４ａに光源部２３を固定する。また、光源保持部２４は、ケース部２４ｂを備えている。ケース部２４ｂは、図示しない集光レンズおよびフィルタ部材を収容する。ケース部２４ｂは、Ｙ１側に接続部２４ｃを備えている。接続部２４ｃは、測定装置本体１０ｂの前面１０１ｂにある孔１０６ｂ（図２参照）と対応する位置にある。接続部２４ｃは、光ファイバ４０と接続されている。光源２３１から照射された光は、ケース部２４ｂの孔部２４１ｂを介してケース部２４ｂの内部に導かれる。そして、この光は、図示しない集光レンズおよびフィルタ部材を介して、光ファイバ４０に導かれる。フィルタ部材は、透過波長が異なる複数のフィルタを含んでおり、複数の異なる波長を有する光を光ファイバ４０に供給できる。
【００４３】
光源保持部２４は、好ましくは、開口部２２（図３参照）を介して、上方（Ｚ１方向）に向かって光源部２３を取り外し可能に構成されている。これにより、光源部２３の交換作業を容易に行うことができる。
【００４４】
光源保持部２４は、好ましくは、ラック供給部２１２に隣接して配置されている。具体的には、光源保持部２４は、搬送機構２１のＸ１側の外側に設けられている。これにより、後述する洗浄液容器１１０（図４参照）、希釈液容器１２０（図４参照）、洗浄液容器１３０および試薬容器１４０（以下では、洗浄液容器１１０、希釈液容器１２０、洗浄液容器１３０および試薬容器１４０を総称して、「液体容器」という）が配置されている位置から離れた位置に光源部２３を配置できる。なお、光源保持部２４を、ラック貯留部２１３に隣接して配置してもよい。
【００４５】
図３に戻って、凸部２５は、搬送機構２１の外側に設けられている。凸部２５は、Ｘ１側、Ｘ２側およびＹ２側から搬送機構２１を囲うように設けられている。凸部２５は、開口部２２の上縁部２２ａおよび搬送機構２１よりも上方に突出している。搬送機構２１と開口部２２とは、凸部２５を介して、互いに隔てて設けられている。
【００４６】
カバー２６および２７は、それぞれ、搬送装置１０ａのＸ１側およびＸ２側に配置されている。具体的には、カバー２６および２７は、それぞれ、搬送機構２１をＸ方向の両側から挟むように配置されている。
【００４７】
開口部２２は、好ましくは、上方がカバー２６により覆われることが可能に形成されている。カバー２６の上面には、試薬容器１４０の蓋１４０ａを設置するための蓋設置部２６１を設置できる。具体的には、カバー２６の上面は、蓋設置部２６１を設置できる凹状に形成されている。これにより、光源部２３の上方をカバー２６により保護しながら、カバー２６の上方に蓋設置部２６１を配置して、カバー２６の上方のスペースを有効利用できる。
【００４８】
また、カバー２７の上面には、カバー２６と同様、試薬容器１４０の蓋１４０ａを設置するための蓋設置部２７１を設置できる。
【００４９】
蓋設置部２６１および２７１は、それぞれ、凹状に形成されたカバー２６および２７の上面に係合している。これにより、蓋設置部２６１および２７１を、それぞれ、カバー２６および２７の上面にずれないように配置できる。蓋設置部２６１および２７１は、試薬容器１４０の蓋１４０ａを設置できる。蓋設置部２６１および２７１は、格子状の複数の区画に分割されている。
【００５０】
複数の吸気口２８は、搬送装置１０ａのＸ１側に設けられている。吸気口２８は、貫通孔である。図４に示すように、複数の吸気口２８は、Ｘ方向からみて、開口部２２と重なっている。吸気口２８は、搬送装置１０ａの外部から内部に空気を吸気する。吸気口２８のＸ２側近傍には、光源部２３が設置されている。
【００５１】
導風路２９は、光源部２３の近傍位置から奥側（Ｙ１側）に延びる貫通孔である。
【００５２】
ファン３０は、導風路２９の光源部２３の近傍に設置されている。ファン３０は、Ｙ２側からＹ１側に向けて、導風路２９内の空気を送風する。
【００５３】
キュベット供給部３１は、複数のキュベット１００を収容している。キュベット供給部３１は、キュベット１００を１つずつ所定位置に供給できる。なお、新品のキュベット１００は、キュベット供給口１０７ｂ（図３参照）を介して、キュベット供給部３１に設置される。使用済みのキュベット１００は、キュベット取出口１０８ｂ（図３参照）を介して、検体分析装置１０の内部から取り出される。
【００５４】
検体分注部３２は、ピペット３２ａを備えている。ピペット３２ａは、検体を吸引および吐出できる。検体分注部３２は、図示しない移動機構によって検体吸引位置Ｐ１と検体分注位置Ｐ２とを含む領域を移動できる。検体分注部３２は、搬送装置１０ａの検体吸引位置Ｐ１に搬送された検体容器５００内に収容されている検体を、検体分注位置Ｐ２に配置されたキュベット１００に分注する。検体分注部３２は、容器セット部３４にセットされた洗浄液容器１１０から洗浄液を吸引する。検体分注部３２は、容器セット部３５にセットされた希釈液容器１２０から希釈液を吸引する。
【００５５】
検体プレート設置部３３には、複数の穴部をする検体プレートが並べて設置されている。同一の検体について分析項目に応じて複数の試料を調製する場合には、検体分注部３２は、検体プレート設置部３３において各分析項目分の検体分注をまとめて行うことができる。
【００５６】
容器セット部３４は、装置のＸ方向における中央部に設置されている。容器セット部３４は、洗浄液容器１１０をセットできる設置口３４ａを２つ備えている。洗浄液容器１１０内の洗浄液により、検体分注部３２のピペット３２ａが洗浄される。容器セット部３４の近傍には、蓋設置部３７ａが設置されている。蓋設置部３７ａには、洗浄液容器１１０の蓋１１０ａを設置できる。
【００５７】
容器セット部３５は、装置のＸ方向における中央部に設置されている。容器セット部３５は、希釈液容器１２０をセットできる設置口３５ａを３つ備えている。容器セット部３５の近傍には、蓋設置部３７ｂが設置されている。蓋設置部３７ｂには、希釈液容器１２０の蓋１２０ａを設置できる。
【００５８】
容器セット部３６は、装置のＸ２側に設置されている。容器セット部３６は、洗浄液容器１３０をセットできる設置口３６ａを２つ備える。容器セット部３６は、試薬容器１４０をセットできる設置口３６ｂを複数備えている。洗浄液容器１３０内の洗浄液により、試薬分注部３８のピペット３８ａが洗浄される。試薬容器１４０は、検体から試料を調製する際に添加される種々の試薬を収容している。容器セット部３６の近傍には、蓋設置部３７ｃが設置されている。蓋設置部３７ｃには、洗浄液容器１３０の蓋１３０ａを設置できる。試薬容器１４０の蓋１４０ａは、カバー２６および２７にそれぞれ配置される蓋設置部２６１および２７１（図３参照）に設置できる。
【００５９】
試薬分注部３８は、試薬を分注するピペット３８ａを備えている。試薬分注部３８は、図示しない移動機構によって容器セット部３６の上方および試薬分注位置Ｐ３を含む領域を移動できる。試薬分注部３８は、分注対象の試薬容器１４０から試薬を吸引し、試薬分注位置Ｐ３に配置されたキュベット１００に試薬を分注する。検体分注部３２は、容器セット部３６にセットされた洗浄液容器１３０から、洗浄液を吸引する。
【００６０】
キュベット移送部３９は、キュベット供給部３１によって供給されたキュベット１００を保持できる。キュベット移送部３９は、検体分注位置Ｐ２、試薬分注位置Ｐ３および検出部４１などの各部へキュベット１００を移送できる。キュベット移送部３９は、キュベット１００内の検体と試薬との攪拌なども行うことができる。
【００６１】
光ファイバ４０は、好ましくは、光源部２３と検出部４１とを接続する。これにより、光源部２３から照射された光を検出部４１に供給する際に、光が途中で損失するのを抑制できる。その結果、精度よく試料を分析できる。なお、光ファイバ４０以外の光伝達機構を用いて、光源部２３と検出部４１とを接続してもよい。
【００６２】
より好ましくは、搬送装置１０ａは、光ファイバ４０と光源保持部２４とが孔１０６ｂ（図２参照）を介して接続された状態で、測定装置本体１０ｂに取り付けられている。これにより、光ファイバ４０と光源保持部２４とを容易に接続することができる。その結果、光源部２３から照射された光を検出部４１に供給する際に、光が途中で損失するのを抑制しながら、搬送装置１０ａと測定装置本体１０ｂとを接続できる。
【００６３】
また、光ファイバ４０は、Ｙ２側に測定装置本体１０ｂから突出しており（図２参照）、突出している部分の先端位置で光源保持部２４の接続部２４ｃと接続されている。なお、光ファイバ４０は、Ｙ２側の先端位置が測定装置本体１０ｂの内部にあってもよい。この場合、光ファイバ４０は、測定装置本体１０ｂの内部で、光源保持部２４の接続部２４ｃと接続される。
【００６４】
また、光ファイバ４０は、複数の分岐光ファイバ４０ａをＹ１側に備えている。複数の分岐光ファイバ４０ａは、それぞれ、検出部４１における複数のキュベット設置穴４１ａに配置したキュベット１００に光を供給する。
【００６５】
なお、図２〜図４では、光ファイバ４０を簡略化して図示している。また、図４では、簡略化の為、一の分岐光ファイバ４０ａを一のキュベット設置穴４１ａに接続した状態を図示し、他の分岐光ファイバ４０ａを他のキュベット設置穴４１ａに接続した状態は省略している。
【００６６】
検出部４１は、光源保持部２４に保持された光源部２３から照射された光を、検体を含む分析用試料を介して検出する。検出部４１は、光源部２３よりもＹ１側（奥側）に設置されている。具体的には、検出部４１は、Ｙ方向において、測定装置本体１０ｂの中央よりもＹ１側に設置されている。検出部４１は、キュベット１００を設置するための複数のキュベット設置穴４１ａを備えている。検出部４１は、光ファイバ４０を介して導かれた光がキュベット設置穴４１ａ内で試料に照射する。検出部４１は、試料に照射された光を受光する図示しない受光素子を備えている。これにより、検出部４１は、光源部２３から照射された光を、試料を介して検出できる。検出部４１は、受光素子により受光された光量に応じた検出信号を分析部４２に出力する。
【００６７】
分析部４２は、検出部４１により得られた検出信号に基づき、検体中の特定の成分の量や活性の度合いを分析する。分析部４２は、分析結果などの表示を操作パネル４３に行うことができる。
【００６８】
操作パネル４３は、測定装置本体１０ｂのＹ２側に設置されている。操作パネル４３は、検体分析に関する情報を表示できる。操作パネル４３は、たとえば、静電容量方式のタッチパネルである。これにより、ユーザは、操作パネル４３に操作情報を入力することにより、検体分析装置１０を操作することができる。
【００６９】
操作パネル４３は、好ましくは、第１側面１０２ｂ側（Ｘ１側）に設置されている。具体的には、操作パネル４３は、Ｘ方向の中心位置よりもＸ１側に設置されている。これにより、ユーザが、操作パネル４３に表示された情報の視認作業、操作パネル４３に対する操作情報の入力作業および光源部２３の交換作業を装置のＸ１側で一括して行うことができる。
【００７０】
また、開口部２２、操作パネル４３、キュベット供給口１０７ｂ（図３参照）およびキュベット取出口１０８ｂ（図３参照）が、Ｘ方向の中心位置よりもＸ１側に設置されている。これにより、ユーザが、操作パネル４３に表示された情報の視認、操作パネル４３に対する操作情報の入力、光源部２３の交換、新品のキュベット１００の設置、使用済みのキュベット１００の取り出し、および、ラック供給部２１２への検体ラック５００Ｒのセットなどの装置の一連の保守作業を装置のＸ１側で一括して行うことができる。その結果、検体分析装置１０の使用に関連するユーザの作業負担を軽減できる。
【００７１】
排気口４４は、好ましくは、搬送装置１０ａが隣接している側と反対側（Ｙ１側）の奥側に形成されている。排気口４４は、具体的には、測定装置本体１０ｂのＹ１側（奥側）に設けられている。排気口４４は、測定装置本体１０ｂの奥面１０４ｂに開口している。排気口４４は、測定装置本体１０ｂの内部から外部に空気を排気する。
【００７２】
導風路４５は、Ｙ方向に沿って延びる貫通孔である。
【００７３】
導風路４５は、好ましくは、排気口４４に接続され、光源部２３から放出された熱を排気口４４に導く。具体的には、導風路４５は、Ｙ２側が搬送装置１０ａの導風路２９と接続され、Ｙ１側が排気口４４と接続されている。これにより、導風路２９に配置されているファン３０により、光源部２３から放出された熱（光源部２３により熱された空気）が、導風路２９および４５と、排気口４４とを介して検体分析装置１０の外部に排出される。その結果、光源部２３から放出された熱が、装置内部にこもるのを抑制できる。なお、検体分析装置１０は、導風路２９および４５と、ファン３０と、吸気口２８と、排気口４４とを備えていなくてもよい。
【００７４】
本実施形態によれば、操作パネル４３が配置されている側（手前側）に測定装置本体１０ｂに隣接して設置されるとともに、光源保持部２４を含む搬送装置筺体１００ａなどの筺体を設けることにより、搬送装置筺体１００ａなどの筺体側で光源部２３を交換することができる。これにより、光源保持部２４が測定装置本体１０ｂにある構成と異なり、測定装置本体１０ｂの側面部などから光源部２３を交換しなくてよい。これにより、光源部２３の交換作業を容易に行える。
【００７５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内での変更が含まれる。
【符号の説明】
【００７６】
１０  検体分析装置
１０ａ  搬送装置
１０ｂ  測定装置本体
２２  開口部
２２ａ  上縁部
２３  光源部
２４  光源保持部
２６  カバー
４０  光ファイバ
４１  検出部
４３  操作パネル
４４  排気口
４５  導風路
１０１ｂ  前面
１０２ｂ  第１側面、側面
１０３ｂ  第２側面、側面
１０６ｂ  孔
１４０  試薬容器
１４０ａ  蓋
２１１  ラック搬送部
２１１ａ  設置面
２１２  ラック供給部
２１３  ラック貯留部
２３１ａ  ハロゲンランプ
２６１  蓋設置部
５００  検体容器
５００Ｒ  検体ラック
【図１】
0006392586.tif 000002
【図２】
0006392586.tif 000003
【図３】
0006392586.tif 000004
【図４】
0006392586.tif 000005
【図５】
0006392586.tif 000006